(57)【要約】【課題】本発明は、２個のノズルの位置の微妙な調整の必要がなく、かつ、軽量及び小型であるばかりではなく、噴霧する液体による腐食が殆どない液体噴霧機用ノズルを提供する。【解決手段】本発明は、２個のノズルを、その開口部が互いに近接するように略垂直に配置して、一方のノズルから気体を噴出し、それにより、他方のノズルから液体を吸い出して、該液体を噴霧する液体噴霧機用ノズルである。各ノズルは、夫々、別個のプラスチック製ブロック内に形成されており、これらのプラスチック製ブロックは、２個のノズルが互いに略垂直に配置され、かつ、その開口部が互いに近接するように、相互に噛み合って一体化され得るように形成されている。【選択図】図１
2014240061.tif 000002
【特許請求の範囲】
【請求項１】
２個のノズルを、その開口部が互いに近接するように略垂直に配置して、一方のノズルから気体を噴出し、それにより、他方のノズルから液体を吸い出して、該液体を噴霧する液体噴霧機用ノズルであって、各ノズルが、夫々、別個のプラスチック製ブロック内に形成されており、これらのプラスチック製ブロックは、２個のノズルが互いに略垂直に配置され、かつ、その開口部が互いに近接するように、相互に噛み合って一体化され得るように形成されており、かつ、気体を噴出させるノズルへと続く管路が、該ノズルと略一直線上に接続されて同一のプラスチック製ブロック内に配置されており、他方、液体が吸い出されるノズルへと続く管路が、該ノズルと１３０〜１４０度の角度で接続されて同一のプラスチック製ブロック内に配置されており、ここで、気体を噴出させるノズル及び液体が吸い出されるノズルの開口部の直径が０．２〜０．６ｍｍであり、かつ、気体を噴出させるノズルへと続く管路と液体が吸い出されるノズルへと続く管路との角度が４０〜５０度となるように、２個のプラスチック製ブロックが噛み合うことを特徴とする液体噴霧機用ノズル。
【請求項２】
上記の気体を噴出させるノズルへと続く管路と液体が吸い出されるノズルへと続く管路との角度が略４５度である、請求項１記載の液体噴霧機用ノズル。
【請求項３】
上記の気体を噴出させるノズル及び液体が吸い出されるノズルの開口部の直径が、いずれも略０．４ミリメートルである、請求項１又は２記載の液体噴霧機用ノズル。
【請求項４】
芳香発生装置、美顔装置、除菌装置又は農薬噴霧装置用の、請求項１〜３のいずれか一つに記載の液体噴霧機用ノズル。
【発明の詳細な説明】
【技術分野】
【０００１】
本発明は、液体噴霧機用ノズルに関し、更に詳しくは、一方のノズルから気体を噴出することにより、他方のノズルから液体を吸い出して、該液体を噴霧する液体噴霧機用ノズルに関する。
【背景技術】
【０００２】
従来、更衣室、トイレ等の臭気を有する空間に芳香用液体を噴霧するために、芳香発生装置が使用されている。該芳香発生装置としては、例えば、圧縮空気発生源から給送される圧縮空気を通過させ香料容器中の液体香料を吸上げる霧化手段を備えた芳香発生装置において、霧化手段の吐出口にノズルを設け、該ノズルがのぞむ粒子分離室を備え、該粒子分離室に芳香を付された空気の出口を設けた芳香発生装置（特許文献１）、低圧タンクの高圧空気により噴霧器から送気用ダクト内へ芳香を供給する芳香吹込装置において、低圧タンクと噴霧器との間に、１回分の香水液を噴霧することのできる圧縮空気量に該当する容量を有し、かつ、電磁供給弁及び電磁排出弁を備えた中間空気タンクを介装した芳香吹込装置（特許文献２）、上方が開口する容器内に芳香用液体を充填し、該液体を吸上げ管で吸い上げると共に、該吸上げ管の先端を屈曲して略水平に延出し先端を開口して気散部を形成し、該気散部に対して上方向へのエアー流を作用させて、吸い上げられた液体を気散させるエアー吐出管を設け、該エアー吐出管と容器の開口との間に吐出されたミスト又は蒸気を含む気体流の通路を一部制限してなる芳香装置において、容器が上下に分割される一対の分割容器からなっており、下方の分割容器内に、底部が開口すると共に吸上げ管とエアー吐出管の先端の上を覆う有蓋遮蔽体を脱着可能に嵌合し、上記有蓋遮蔽体の上壁で、エアー吐出管の吐出方向を除いた上壁の中途部に透孔が形成されてなる芳香装置（特許文献３）、ガス噴射によってエッセンス蒸気を発散させる香り発散器であって、上のエアゾル緩衝部及び下の液体溜り部からなり、かつ、前記液体溜り部は前記エアゾル緩衝部と連通され、前記エアゾル緩衝部は大気と連通されている容器と、前記ガスを噴出するガス噴出し口と前記ガスを導入するガス入り口とを有するものであって、前記ガス噴出し口が前記エアゾル緩衝部内にあるように設けられているガス噴出し管と、液体出口と液体入り口とを有するものであって、前記液体出口が前記エアゾル緩衝部内にあり、前記液体入り口が前記液体溜り部内にあるように前記容器内に設けられている液体吸取り管とを備えてなり、それにより、前記ガス入り口からガスを導入して前記ガス噴出し口から噴射しながら、前記液体吸取り管を経由して前記液体溜り部に溜まっている液体エッセンスを吸上げて前記噴射ガスと混合させ、そして、前記のように混合してなるエアゾルを前記エアゾル緩衝部に一旦保留してから蒸気の形で外気へ発散させることができる香り発散器（特許文献４）等が知られている。これらは、いずれも、一方のノズルから気体を噴出することにより、他方のノズルから芳香用液体を吸い出して噴霧するという原理に基づくものである。特許文献１及び２の芳香発生装置等は、電磁弁等を使用するもので比較的大がかりな装置であり、比較的多量の芳香用液体を噴霧するのに適しているものである。また、特許文献３及び４の装置等は、ノズルを屈曲させる必要があり、従って、ノズルの作製が煩雑となり、少量噴霧のためにノズル径を著しく細くすることは容易ではなく、また、作製できたとしてもコストがかかるものであった。このように、上記の特許文献１〜４に記載されているような装置では、いずれも、トイレ等の比較的狭い空間にごく少量の芳香用液体を噴霧するためには適しているとは言えなかった。
【０００３】
近年、デパート、スーパーマーケット、大型電気店、駅、高速道路のサービスエリア等の公衆トイレに芳香発生装置が取り付けられている。該芳香発生装置は、例えば、図２に示されている通り、２個の金属製のノズル（１１，１２）を、その開口部が近接するように略垂直に配置してなるものである。この場合、上部のノズル（１２）から空気が噴出され、下部のノズル（１１）から芳香用液体が吸い上げられて噴霧されるものであり、ノズルはプラスチック製の固定装置（１３）により固定されている。そして、ノズル開口部から芳香用液体が吸い上げられて噴霧されるように、両者のノズル位置が微妙に調整されているものである。従って、両者のノズルの位置決めは容易ではなく非常に煩雑である。また、ノズル自体は金属製であることから芳香用液体の種類によっては腐食され易く、かつ、比較的重くかつ大きいため、芳香発生装置自体の小型軽量化が困難であった。
【先行技術文献】
【特許文献】
【０００４】
【特許文献１】実開平５−４８９４６号公報
【特許文献２】実開平４−７５５４６号公報
【特許文献３】実開平６−１５６４０号公報
【特許文献４】実用新案登録第３０８９１０９号公報
【発明の概要】
【発明が解決しようとする課題】
【０００５】
本発明は、２個のノズルの位置の微妙な調整の必要がなく、かつ、軽量及び小型であるばかりではなく、噴霧する液体による腐食が殆どない液体噴霧機用ノズルを提供するものである。
【課題を解決するための手段】
【０００６】
本発明者は、従来の芳香発生装置を軽量化及び小型化することを意図して、種々の改良を試みた。上記の図２に示されているような芳香発生装置において、単なる軽量化を図るためには、該芳香発生装置のノズル（１１，１２）の金属部をプラスチックに変更することが考えられる。しかし、それでは、僅かな軽量化を達成することができるに過ぎず、また、小型化はできない。そこで、本発明者は、２個のノズルをプラスチックにより一体的に成形することに思い至った。このようにプラスチックで一体的に成形できれば、図２に示されているような、２個のノズル（１１，１２）を固定するためのプラスチック製の固定装置（１３）が不要になるばかりではなく、固定装置（１３）へのノズルの取り付け作業における、微妙な調整が必要な２個のノズルの位置決めも不要となる。
【０００７】
そこで、本発明者は、２個のノズルを、１個のプラスチック製ブロック中に一体的に成形することを試みた。２個のノズルが相互に略垂直になるように配置し、かつ、一方のノズルから気体を噴出し、他方のノズルから噴霧する液体を吸上げることができるようにするためには、ノズルの開口部の形状はもちろんのこと、気体のノズルの開口部、即ち、気体噴出口から僅かに離れた位置に、液体のノズルの開口部を設置しなければならない。加えて、本発明のノズルは極めて小型であり、ノズルの直径は、いずれも０．２〜０．６ｍｍと著しく小さいことから、上記のノズルの開口部相互間の距離も、０．１〜０．５ｍｍ程度と著しく小さく設定しなければならない。従って、一体成形するための金型には、そのノズルの開口部相互間の非常に小さな距離を確保するに見合うだけの部分を設ける必要がある。金型にそのような部分を設けることは可能ではあるが、その一方、そのような部分のために金型が脆弱になり破損し易いという欠点が生じた。これでは、折角、２個のノズルを１つのプラスチック製ブロック中に一体化できても、１個の金型でのノズルの量産が困難となり、却って、コスト高を招いてしまう。また、不良品の発生にもつながり易い。
【０００８】
そこで、本発明者は、更に検討を重ねた結果、別個のプラスチック製ブロック内に夫々のノズルを形成し、そして、これらのプラスチック製ブロックを、２個のノズルが略垂直に配置され、かつ、その開口部が上記の距離に近接するように相互に噛み合わせることができるなら、２個のノズルをプラスチックにより一体的に成形したときと同様の効果が得られると考え、夫々のプラスチック製ブロックの成形を試みた。この際、２個のプラスチック製ブロックを略平行に配置して相互に噛み合わせれば、最もコンパクトにすることができ、該ノズルを組み込む装置全体の小型化を達成することもできる。この場合には、一方のノズル、好ましくは、液体ノズルをプラスチック製ブロック内で、該ノズルに続く液体管路に対して略垂直に曲げることにより、他方のノズル、好ましくは、気体ノズルと略垂直に配置する必要がある。また、これらのノズルの成形に際しては、ノズルの直径が著しく小さいことから引抜ピンによる成形が必須となるが、２個のプラスチック製ブロックを略平行に配置した際には、引抜ピンの長さが長くなり過ぎて、所定の直径を有するノズルを成形することが容易ではない。他の方法により成形することも可能とは考えられたが、それではコスト高になってしまう。一方、２個のプラスチック製ブロックを略垂直に配置して相互に噛み合わせれば、一方のノズル、好ましくは、液体ノズルをプラスチック製ブロック内で、上記のように略垂直に曲げる必要がなく、成形が簡便となる。しかし、これでは、該ノズルを組み込む装置全体の小型化は達成できず、また、より多くのプラスチック材料を使用しなければならなくなり、コスト高を免れない。また、両方のノズルに供給する気体及び液体配管の配置も複雑となり、かつ、これらの配管を配置するための空間もかなり必要となってしまい、やはり、小型化を達成できない。
【０００９】
そこで、本発明者は、２個のプラスチック製ブロックを如何に配置すれば、ノズルの成形に支障なく容易で、また、該ノズルを組み込んだ液体噴霧機自体の小型化を達成できるかについて検討した。その結果、下記本発明の構成を採用すれば、そのノズル径を著しく小さくしても成形が可能であり、かつ、２個のブロックを噛み合わせたときに、２個のノズルが互いに略垂直に配置され、かつ、その開口部が互いに近接するようにし得ることを見出し、本発明を完成するに至った。
【００１０】
即ち、本発明は、
（１）２個のノズルを、その開口部が互いに近接するように略垂直に配置して、一方のノズルから気体を噴出し、それにより、他方のノズルから液体を吸い出して、該液体を噴霧する液体噴霧機用ノズルであって、各ノズルが、夫々、別個のプラスチック製ブロック内に形成されており、これらのプラスチック製ブロックは、２個のノズルが互いに略垂直に配置され、かつ、その開口部が互いに近接するように、相互に噛み合って一体化され得るように形成されており、かつ、気体を噴出させるノズルへと続く管路が、該ノズルと略一直線上に接続されて同一のプラスチック製ブロック内に配置されており、他方、液体が吸い出されるノズルへと続く管路が、該ノズルと１３０〜１４０度の角度で接続されて同一のプラスチック製ブロック内に配置されており、ここで、気体を噴出させるノズル及び液体が吸い出されるノズルの開口部の直径が０．２〜０．６ｍｍであり、かつ、気体を噴出させるノズルへと続く管路と液体が吸い出されるノズルへと続く管路との角度が４０〜５０度となるように、２個のプラスチック製ブロックが噛み合うことを特徴とする液体噴霧機用ノズルである。
【００１１】
好ましい態様として、
（２）上記の気体を噴出させるノズルへと続く管路と液体が吸い出されるノズルへと続く管路との角度が略４５度である、上記（１）記載の液体噴霧機用ノズル、
（３）上記の液体が吸い出されるノズルへと続く管路が、該ノズルと略１３５度の角度で接続されている、上記（１）又は（２）記載の液体噴霧機用ノズル、
（４）上記の気体を噴出させるノズル及び液体が吸い出されるノズルの開口部の直径が、いずれも０．３〜０．５ミリメートルである、上記（１）〜（３）のいずれか一つに記載の液体噴霧機用ノズル、
（５）上記の気体を噴出させるノズル及び液体が吸い出されるノズルの開口部の直径が、いずれも略０．４ミリメートルである、上記（１）〜（４）のいずれか一つに記載の液体噴霧機用ノズル、
（６）上記の気体を噴出させるノズルへと続く管路の最大直径が１．８〜２．２ミリメートルである、上記（１）〜（５）のいずれか一つに記載の液体噴霧機用ノズル、
（７）上記の液体が吸い出されるノズルへと続く管路の最大直径が０．８〜１．７ミリメートルである、上記（１）〜（６）のいずれか一つに記載の液体噴霧機用ノズル、
（８）芳香発生装置、美顔装置、除菌装置又は農薬噴霧装置用の、上記（１）〜（７）のいずれか一つに記載の液体噴霧機用ノズル
を挙げることができる。
【発明の効果】
【００１２】
本発明の液体噴霧機用ノズルは、２個のノズルが、夫々、別個のプラスチック製ブロック内に形成されて、そして、これらのプラスチック製ブロックを噛み合わせることにより、２個のノズルを所定の位置にセットすることができることから、従来品のように、２個のノズル位置の微妙な調整の必要がない。また、本発明の液体噴霧機用ノズルは、プラスチック製であることから、噴霧する液体の種類による腐食が殆どなく、加えて、本発明の液体噴霧機用ノズルは、軽量かつ小型であること、及び、従来、必要としていたプラスチック製のノズル固定装置が不要であることから、液体噴霧機全体の軽量化及び小型化が可能である。
【図面の簡単な説明】
【００１３】
【図１】図１は、本発明の液体噴霧機用ノズルの２個のプラスチック製ブロックが噛み合った状態を示した概略の正面図、左側面図及び平面図である。
【図２】図２は、従来の芳香発生機のノズル部分を示した概略図である。
【発明を実施するための形態】
【００１４】
本発明の液体噴霧機用ノズルは、２個のノズルを、その開口部が互いに近接するように略垂直に配置して、一方のノズルから気体を噴出し、それにより、他方のノズルから液体を吸い出して、該液体を噴霧する液体噴霧機に使用される。上記の気体としては、通常、空気が使用される。噴霧される液体は、液体噴霧機の種類に依存する。例えば、芳香発生装置においては、液体香料、香水等が使用され得、美顔装置においては、いわゆる美容液といわれる化粧品等が使用され得、除菌装置においては、殺菌剤、消毒剤等が使用され得、農薬噴霧装置においては、各種の農薬が使用され得る。これらの液体は、用途、場所に応じて適宜選択することができる。また、一方のノズルから気体を噴出し、それにより、他方のノズルから液体を吸い出して噴霧する装置の原理は公知であり、いわゆるベンチュリー効果を利用したものである。
【００１５】
本発明の液体噴霧機用ノズルの一実施態様を、図１に基づいて説明する。図１に示されている通り、２個の別個のプラスチック製ブロック（Ａ，Ｂ）が噛み合わされて、本発明の液体噴霧機用ノズルが形成されている。図１には、２個の別個のプラスチック製ブロック（Ａ，Ｂ）が噛み合わされた状態における正面図（Ｉ）、左側面図（ＩＩ）及び平面図（ＩＩＩ）が示されている。ここで、液体が吸い出されるノズル（１）及び気体を噴出させるノズル（２）、並びに、液体が吸い出されるノズルへと続く管路（３）及び気体を噴出させるノズルへと続く管路（４）を破線で示した。プラスチック製ブロック（Ａ）には、液体が吸い出されるノズル（１）が形成されており、一方、プラスチック製ブロック（Ｂ）には、気体を噴出させるノズル（２）が形成されている。液体が吸い出されるノズル（１）及び気体を噴出させるノズル（２）は、いずれも、ノズルの長さ方向に垂直な面で切断したときの断面の形状が略円形であり、その開口部の直径は０．２〜０．６ｍｍ、好ましくは０．３〜０．５ミリメートル、より好ましくは略０．４ミリメートルである。液体が吸い出されるノズル（１）において、その開口部の直径が上記下限未満では、噴霧する液体の種類によってはノズルが閉塞することがあり、また、ノズルの成形が容易ではなくなる。一方、上記上限を超えては、液体噴霧量が多くなるばかりで、本発明の液体噴霧機用ノズルの用途においては、余計な液体噴霧量のためにコスト高になる。また、液体を良好に噴霧し得ないことがある。気体を噴出させるノズル（２）においては、その開口部の直径が上記下限未満では、同様にノズルの成形が容易ではなくなり、上記上限を超えては、余計な気体噴出量のために、気体を送り出すポンプ等の所要電力量が増大してコスト高となる。液体が吸い出されるノズル（１）の長さは、好ましくは１．０〜３．０ｍｍ、より好ましくは２．０〜２．５ｍｍである。上記上限を超えては、液体が吸い出されるノズル（１）へと続く管路（３）までの距離が長くなり、結果として、プラスチック製ブロック（Ａ）自体の寸法が大きくなり過ぎて小型化、軽量化を達成することができなくなると共に、液体の噴霧が適切でなくなることがある。気体を噴出させるノズル（２）の長さは、好ましくは２．０ｍｍ以下、より好ましくは０．５〜１．５ｍｍである。図１に示した本発明の液体噴霧機用ノズルの一実施態様においては、液体が吸い出されるノズル（１）の開口部は、図１の正面図（Ｉ）に示すように、頂部が僅かに突出しており、かつ、その頂部の角度が略１２０度であって、頂部は、気体を噴出させるノズル（２）の方向に僅かに偏っている。これにより、液体を良好に吸い出して噴霧することができる。
【００１６】
プラスチック製ブロック（Ａ）には、液体が吸い出されるノズルへと続く管路（３）が、液体が吸い出されるノズル（１）に接続されて設けられている。ここで、該管路（３）は、該ノズル（１）と１３０〜１４０度、好ましくは略１３５度の角度で接続されている。上記の角度にすることによって、ノズル（１）及び管路（３）の成形時におけるピンの引抜を容易にし、そして、従って、ノズル（１）の成形を容易に達成することができる。液体が吸い出されるノズルへと続く管路（３）の液体の流れ方向に垂直な面で切断したときの該管路（３）の断面形状は、好ましくは円形である。管路（３）の最大直径は、好ましくは０．６〜２．０ｍｍ、より好ましくは０．８〜１．７ｍｍである。一方、プラスチック製ブロック（Ｂ）には、気体を噴出させるノズルへと続く管路（４）が、気体を噴出させるノズル（２）に接続されて設けられている。ここで、該管路（４）は、該ノズル（２）と略一直線上に接続されている。気体を噴出させるノズルへと続く管路（４）の気体の流れ方向に垂直な面で切断したときの該管路（４）の断面形状は、好ましくは円形である。管路（４）の最大直径は、好ましくは０．６〜３．０ｍｍ、より好ましくは１．８〜２．２ｍｍである。プラスチック製ブロック（Ａ）及び（Ｂ）の寸法は、上記の液体が吸い出されるノズル（１）及びそれに続く管路（３）、並びに、気体を噴出させるノズル（２）及びそれに続く管路（４）の寸法に依存して決定される。好ましくは、これらの部分を含む最小の寸法に成形される。図１に記載した液体噴霧機用ノズルの一例を挙げれば、プラスチック製ブロック（Ａ）及び（Ｂ）の長さが、いずれも約１０．０ｍｍであり、そのうち、プラスチック製ブロック（Ａ）及び（Ｂ）の噛み合い部分の長さが、いずれも約５．０ｍｍである。また、プラスチック製ブロック（Ａ）及び（Ｂ）の噛み合い部分以外の部分は、通常、円筒形であって、プラスチック製ブロック（Ａ）においては、その外径が約３．０ｍｍであり、プラスチック製ブロック（Ｂ）においては、その外径が約４．０ｍｍである。このように本発明の液体噴霧機用ノズルは著しく小型である。
【００１７】
プラスチック製ブロック（Ａ）及び（Ｂ）は、２個のノズル、即ち、液体が吸い出されるノズルと気体を噴出させるノズルが互いに略垂直に配置され、かつ、その開口部が互いに近接するように、相互に噛み合って一体化され得る。このように、二つのプラスチック製ブロック（Ａ）及び（Ｂ）を噛み合わせることにより、気体を噴出させるノズルへと続く管路（４）と液体が吸い出されるノズルへと続く管路（３）との角度が４０〜５０度となる。ここで、プラスチック製ブロック（Ａ）及び（Ｂ）を一体化する方法に特に制限はない。図１に示されているように、一方のプラスチック製ブロックに凸部を設け、かつ、他方のプラスチック製ブロックに凹部を設けて噛み合わせる方法が成形も容易で、取り付けも簡単であり好ましい。また、これらのプラスチック製ブロックに使用されるプラスチックの種類には特に制限はないが、成形及び価格の観点から、好ましくはポリプロピレン等が使用される。
【００１８】
二つのプラスチック製ブロック（Ａ）及び（Ｂ）の成形は、夫々別個に、従来公知の方法、即ち、射出成型により実施することができる。プラスチック製ブロック（Ａ）について説明すれば、液体が吸い出されるノズル（１）及び液体が吸い出されるノズルへと続く管路（３）を形成するピンが所定の位置にセットされた金型内に、プラスチック製ブロック（Ａ）の材料となるプラスチック、例えば、ポリプロピレンを射出し、最後に２個のピンを夫々両側に引き抜くことにより成形することができる。
【００１９】
本発明の液体噴霧機用ノズルは、少量、例えば、０．０１〜０．０５ミリリットル／秒、好ましくは、約０．０３ミリリットル／秒の液体を噴霧する装置に適しており、例えば、小型の芳香発生装置、美顔装置、除菌装置又は農薬噴霧装置に使用することができる。液体が吸い出されるノズルへと続く管路に、噴霧する液体の貯槽からの配管、例えば、ゴムチューブを接続し、一方、気体を噴出させるノズルへと続く管路に、小型ポンプの吐出からの配管、例えば、ゴムチューブを接続して、小型ポンプを作動させることにより気体、例えば、空気を、気体を噴出させるノズルへと続く管路へと送り込むことによりノズルから噴出させて、液体を噴霧することができる。また、小型ポンプに制御装置を装備して所定時間毎に小型ポンプを作動させることにより、液体を所定時間毎、例えば、５〜１０分間隔で噴霧することもできる。
【産業上の利用可能性】
【００２０】
本発明の液体噴霧機用ノズルは、２個のノズルの位置の微妙な調整の必要がなく、かつ、軽量及び小型であるばかりではなく、噴霧する液体による腐食が殆どないことから、今後、例えば、更衣室、トイレ等の小型芳香発生装置用のノズルとして、あるいは、美顔装置、除菌装置又は農薬噴霧装置用のノズルとしての利用が大いに期待される。
【符号の説明】
【００２１】
Ａ  液体が吸い出されるノズルを備えたプラスチック製ブロック
Ｂ  気体を噴出させるノズルを備えたプラスチック製ブロック
Ｉ  ２個の別個のプラスチック製ブロック（Ａ，Ｂ）が噛み合わされた状態における正面図
ＩＩ  ２個の別個のプラスチック製ブロック（Ａ，Ｂ）が噛み合わされた状態における左側面図
ＩＩＩ  ２個の別個のプラスチック製ブロック（Ａ，Ｂ）が噛み合わされた状態における平面図
１  液体が吸い出されるノズル
２  気体を噴出させるノズル
３  液体が吸い出されるノズルへと続く管路
４  気体を噴出させるノズルへと続く管路
１１  液体が吸い出されるノズル
１２  空気が噴出されるノズル
１３  ノズル固定装置
【図１】
2014240061.tif 000003
【図２】
2014240061.tif 000004